(57)【特許請求の範囲】
【請求項１】
網袋の内部に中詰材が充填された複数の被覆材を用いて構成され、前記中詰材の粒径が異なる複数種類の被覆材を層状に設置して構成されたことを特徴とする裏込め構造。
【請求項２】
前記複数の被覆材のうちの少なくとも２つは連結されていることを特徴とする請求項１記載の裏込め構造。
【請求項３】
構造物の背後に請求項１または請求項２に記載の裏込め構造を有する盛土を設け、前記構造物と前記盛土の間に軽量盛土を設けたことを特徴とする裏込め構造。
【請求項４】
網袋の内部に中詰材が充填された複数の被覆材を、前記複数の被覆材のうちの少なくとも２つの底部近傍を設置後の前記被覆材の間隔を考慮して長さを決めた連結ロープで連結して吊下げ用治具に吊す工程と、
前記被覆材を、所定の位置に設置する工程と、
を具備することを特徴とする裏込め構築方法。
【発明の詳細な説明】
【０００１】
【発明の属する技術分野】
本発明は、護岸や擁壁の裏込め構造および裏込め構築方法に関するものである。
【０００２】
【従来の技術】
従来、護岸や擁壁の裏込めは、良質の土砂・砂利・砕石を入れて良く締め固めて構築され、土圧の低減に貢献し、排水層として機能している。図１１に従来のケーソン式埋め立て護岸裏込め構造の一例を示す。海側と陸側の境界にはケーソン２３が基礎捨石２１上に設けられている。ケーソン２３と基礎捨石２１との陸側面には三角形状に裏込材２７が積み上げられ、裏込材２７と埋立材２５との境界には防砂シート２９が敷設されて、裏込めが構成されている。
【０００３】
【発明が解決しようとする課題】
比較的大水深域に建造される護岸では、護岸ケーソン、矢板等のサイズは完成後の地震時の海側への滑動を考慮して決定されることが多い。滑動の際、ケーソン等に作用する土圧は裏込めを介してかかる。土圧の低減によりケーソン等のサイズを小さくすることができる。これより、護岸全体の建造コストの低減のために、ケーソン等に作用する土圧のさらなる低減が望まれている。
【０００４】
また、護岸ケーソンの裏込めの施工は、成型、防砂シートの設置等に工期がかかるという問題がある。
【０００５】
裏込め材が十分な排水機能を果たさない場合は、マウンドの下を通して埋め立て土砂が海側に流出し、埋め立て地の陥没につながる。このため、裏込め材のフィルター効果を確保することが求められている。
【０００６】
本発明は、このような問題に鑑みてなされたもので、その目的とするところは、土圧の低減を達成するとともにフィルター効果を有し、短工期に施工が可能な裏込め構造および裏込め構築方法を提供することにある。
【０００７】
前述した目的を達成するための第１の発明は、網袋の内部に中詰材が充填された複数の被覆材を用いて構成され、前記中詰材の粒径が異なる複数種類の被覆材を層状に設置して構成されたことを特徴とする裏込め構造である。
【０００８】
中詰材としては、砂利、砕石、人工砂利、比重を調整した砂利、リサイクルで作製した溶融スラグ石材等の粒状体材を用いてもよい。水中での使用の場合は、比重は水の比重より大きいことが好ましい。
【０００９】
網袋は繊維を編んで作製した網を用いることができ、無結節網、ラッセル網、蛙股網等により形成される。ラッセル網は、他の無結節網に比べ、破断した個所が広がりにくい特徴をもつ。使用する繊維は、ナイロン、ポリエステル等の合成繊維、または綿、麻等の天然繊維等で作製できる。
【００１２】
第１の発明では、網袋の内部に中詰材が充填された複数の被覆材を設置して裏込め構造を構成する。この際に、中詰材の粒径が異なる複数種類の被覆材を製作し、中詰材の粒径に応じて各種類の被覆材を層状に設置する。
【００１３】
第２の発明は、構造物の背後に上記に記載の裏込め構造を有する盛土を設け、前記構造物と前記盛土の間に軽量盛土を設けたことを特徴とする裏込め構造である。
【００１４】
第２の発明では、構造物の背後の少し離れた位置に上記に記載の裏込め構造を有する盛土を設ける。一般部の土圧は前記盛土で受ける。構造物に作用する土圧は、軽量盛土によるもののみとなり、低減される。
【００１５】
第３の発明は、網袋の内部に中詰材が充填された複数の被覆材を、前記複数の被覆材のうちの少なくとも２つの底部近傍を設置後の前記被覆材の間隔を考慮して長さを決めた連結ロープで連結して吊下げ用治具に吊す工程と、前記被覆材を、所定の位置に設置する工程と、を具備することを特徴とする裏込め構築方法である。
【００１６】
第３の発明では、網袋の内部に中詰材が充填された複数の被覆材を、吊下げ用治具に吊す。前記被覆材を所定の位置に設置する。複数の被覆材を吊し、一括して設置するので、製作、設置が容易で、長い工期を必要としない。
【００１７】
【発明の実施の形態】
以下、図面に基づいて本発明の実施の形態を詳細に説明する。図１は、袋詰め被覆材１の概略構成図を示す。袋詰め被覆材１はフィルターユニットと呼ばれ、繊維製の網袋３に中詰材５が詰められたものである。
【００１８】
網袋３は繊維を編んで作製した網である。使用する繊維は合成繊維、天然繊維を問わない。また、ペットボトル等から再生したリサイクル繊維を用いてもよい。中詰材５には砕石、砂利などの他に人工石材、リサイクル石材を使用してもよい。
【００１９】
網袋３の頂部には吊環７が設けられる。吊環７はクレーン等への吊り下げ用の治具として使用される。吊環７は耐久性があり、袋詰め被覆材１の重量に耐えうる強度を有する材質からなる。
【００２０】
図１（ａ）は吊環７を用いて袋詰め被覆材１を吊り上げた状態を示す。図１（ｂ）は袋詰め被覆材１を設置した状態を示す。吊り上げた状態に比べて設置した状態の方が被覆する面積が増加する点が袋詰め被覆材１の特徴である。
【００２１】
ただし、中詰材５が多すぎると吊り上げた形状とほとんど変化無い形状で設置されてしまう。中詰材５が少なすぎると設置した状態で網袋３の網地に緩みが出て、袋詰め被覆材１が単体として一体でなくなる。
【００２２】
袋詰め被覆材１は種々の形状が考えられる。図２に袋詰め被覆材１を構成する網袋３の例を示す。図２（ａ）は底部が丸型のＴ型網袋３ａを示す。図２（ｂ）は封筒型の叺型網袋３ｂを示す。
【００２３】
図３に袋詰め被覆材１の標準的な製作方法を示す。はじめに図３（ａ）に示すように、製作枠１１を設置し、製作枠１１の内側に網袋３を網口を開いた状態でセットする。網袋３を多重にする場合はこの段階で多重にしておく。
【００２４】
製作枠１１は網口を固定するための枠になると同時に、投入する中詰材５の量を計測する枡としても使用する。バックホー１３等を利用して網袋３の中に製作枠１１一杯になるまで中詰材５を投入する。
【００２５】
その後、図３（ｂ）に示すように、網袋３の網口上部に吊環７を装着する。図３（ｃ）に示すように、クレーン等を利用して吊環７により袋詰め被覆材１を仮吊りして、口元を固縛ロープ１７で縛る。図３（ｄ）に示すように、製作枠１１をトラッククレーン１５等で吊り、図３（ｅ）に示すように製作枠１１を引き抜いて、１つの袋詰め被覆材１の製作が完了する。
【００２６】
上記製作法により多数の袋詰め被覆材１を工事ヤードで用意する。この袋詰め被覆材１を揚重機により吊り上げ、所定の場所に設置、積み重ねることにより裏込めを構築する。
【００２７】
袋詰め被覆材１を使用した裏込め構造について説明する。図４は本発明の第１の実施の形態に係る裏込め構造の断面図を示す。図４の構造は、ケーソン式埋め立て護岸の裏込め部分に、本発明を適用したものである。その他の護岸形式、擁壁等についても同様の断面図が考えられる。
【００２８】
図４において、海側と陸側の境界にはケーソン２３が基礎捨石２１上に設けられている。ケーソン２３と埋立材２５の間には、多数の袋詰め被覆材１が層状に積み重ねられて裏込めを構成している。被覆材１と埋立材２５の間には防砂シート２９が敷設されている。
【００２９】
図５は袋詰め被覆材１を層状に配置する方法の一例を示す平面図である。図５に示すように偶数番目の層の袋詰め被覆材１ａと奇数番目の層の袋詰め被覆材１ｂとで互いの間隙を埋めるよう、互い違いに積み重ねる。このように配置することで、袋詰め被覆材１の噛み合わせを増大させることができる。
【００３０】
ここで、袋詰め被覆材１を用いた裏込め構造の特長、効果について説明する。一般に、粒状体を積み上げた場合の土圧は、積み上げ高に比例して増大する。しかし、網袋３に入れた中詰材５のような粒状体の場合には、水平方向の土圧は、網材の張力によって釣り合うこととなる。よって、袋詰め被覆材１単体としては、水平方向の土圧は作用せず、１つの粒状体要素とみなすことができる。
【００３１】
通常の粒状体は、積み上げると安息角の勾配をもつ斜面を形成する。一方、袋詰め被覆材１は容易に垂直に積み上げることが可能であり、一列であっても複数段（５段以上）積み上げることができる。袋詰め被覆材１は可撓性を有するため、設置面の不陸に容易になじみ、これにより噛み合わせの効果が生じるためである。
【００３２】
これはホゾなどの噛み合わせを有するコンクリートブロックが水平抵抗が大きいのと同様の原理である。コンクリートブロックはホゾを組み合わせながら設置しなくてはならない。これに対して、袋詰め被覆材１ではこれが自動的に行われるため、自由度が大きいという特長を有する。
【００３３】
施工条件によっては、千鳥状に袋詰め被覆材１を設置して、噛み合わせ効果をさらに大きくすることができる。袋詰め被覆材１を用いて裏込めを構成することにより、ケーソン等に作用する土圧を大幅に低減することができる。よって、ケーソン等の重量低減、裏込め材の数量低減に寄与することができる。
【００３４】
また、中詰材５の粒径に適切なものを選定することにより、袋詰め被覆材１はフィルターとしての機能を果たすことができる。
【００３５】
網袋３や中詰材５の材料にリサイクル物質を利用できるので、環境負荷の低減に役立つ。特に人工軽量石材を用いた場合には、土圧低減効果に加え、接地圧を低減でき、地盤沈下を抑制する効果も期待できる。
【００３６】
図６に本発明の第２の実施の形態に係る裏込め構造の断面図を示す。ここでは、粒径の異なる中詰材５を用いている。粒径の小さな中詰材５を有する袋詰め被覆材１ｃを上の層に、粒径の大きな中詰材５を有する袋詰め被覆材１ｄを下の層にして、層状に設置することにより、フィルター効果をより大きくすることができる。この場合、防砂シートを不要にすることができる。
【００３７】
次に、袋詰め被覆材１を用いた裏込めの構築方法について説明する。図７は複数の袋詰め被覆材１を設置する手段を示す斜視図である。吊下げ用治具３１に複数の吊下げロープ３３を吊り下げる。吊下げロープ３３の先端にはフックを設け、吊環７により袋詰め被覆材１を吊す。
【００３８】
吊下げ用治具３１は例えば鋼製のフレームからなる。フックはオートリリースフック３５とすることが好ましい。吊された袋詰め被覆材１の中心間隔は設置現場に敷設された後の袋詰め被覆材１の中心間隔と同じにしておく。
【００３９】
袋詰め被覆材１の直径は吊した状態の方が設置した状態に比べて小さいので、基本的には吊した状態で相互の袋詰め被覆材１が接触することはない。しかし、吊り上げ時の隣接する袋詰め被覆材１間の接触摩擦力の防止、吊り上げた状態での揺動等による袋詰め被覆材１間の接触の防止のために、吊下げロープ３３の長さを何種類かに分けて、多層構造に袋詰め被覆材１を吊ってもよい。
【００４０】
図７、図８は吊下げロープ３３の長さを２種類にして、袋詰め被覆材１を２層構造に吊り上げた状態を示す。図８（ａ）は正面図であり、図８（ｂ）は側面図である。図８に示すように、正面方向および側面方向に隣接する袋詰め被覆材１の吊下げロープ３３の長さが異なるようにしている。
【００４１】
図７のように袋詰め被覆材１を吊り下げた吊下げ用治具３１をクレーン等の揚重機で吊り、設置位置に合わせた後、吊下げ用治具３１を下げて袋詰め被覆材１を敷設する。吊下げロープ３３のフックがオートリリースフックの場合には、フレームを下げて袋詰め被覆材１が設置地盤に着底したと同時に自動的にフックが外れ、袋詰め被覆材１を敷設することができる。
【００４２】
上記のような方法を採用することにより、一度に多数の袋詰め被覆材１を所定の位置に効率よく敷設することができる。このようにして所定の設置面に袋詰め被覆材１を順次敷き詰め、積み重ねていき、裏込めを構築することができる。
【００４３】
図７、図８のように２層構造に吊った場合は、一度に２層分の袋詰め被覆材１を敷設することができる。袋詰め被覆材１の間の接触防止効果だけでなく、敷設作業の効率を高めることができる。吊り上げ時の多層構造は本例に限らず、吊下げロープ３３の長さを適宜設定することにより、２層以上の多層構造も可能である。
【００４４】
多層構造に袋詰め被覆材１を吊った場合、吊下げロープ３３の長さに応じて、各袋詰め被覆材１に充填される中詰材５の粒径が異なるようにしてもよい。例えば、短い吊下げロープ３３に吊り下げた袋詰め被覆材１は粒径の小さな中詰材５、長い吊下げロープ３３に吊り下げた袋詰め被覆材１は粒径の大きな中詰材５を有するようにする。これより、フィルター効果の高い裏込め構造を容易に構築できる。
【００４５】
上述のように、袋詰め被覆材１の設置には、下地の均しや設置時の組み合わせ等の細かな精度管理を必要としない。多数の袋詰め被覆材１をフレーム等から吊り下げることにより一括設置することが可能である。吊り下げ時の形状、設置時の形状の概要を網袋３の諸元、中詰材５の諸元から事前に知ることができるので、吊り下げ方を事前に設計することができる。よって、工期の短縮、特に均し等の水中作業の軽減を図ることができる。
【００４６】
図９は複数の袋詰め被覆材１の底部近傍を連結ロープ３７で結合した状態を示す。連結ロープ３７の長さは設置後の袋詰め被覆材１の間隔を考慮して決める。結合は陸上で可能であり、設置方法に影響しない。図９（ａ）は吊り上げた状態を示す図であり、図９（ｂ）は設置した状態を示す図である。袋詰め被覆材１を結合することにより、設置面３９に設置後はすべり線を横切って抵抗するようになるので、土圧の低減効果がさらに大きくなる。
【００４７】
図１０に本発明の第３の実施の形態に係る裏込め構造の断面図を示す。ケーソン２３から少し離れた位置に袋詰め被覆材１による盛土を設置する。盛土とケーソン２３との間に軽量盛土４１による裏込めを構築する。埋立材２５からの土圧を袋詰め被覆材１による盛土で受ける。ケーソン２３に作用する土圧は軽量盛土４１による土圧のみとなり、さらに低減される。
【００４８】
【発明の効果】
以上、詳細に説明したように本発明によれば、土圧の低減を達成するとともにフィルター効果を有し、短工期が可能な裏込め構造および裏込め構築方法を提供することができる。
【図面の簡単な説明】
【図１】袋詰め被覆材１の概略構成図
【図２】網袋３の種類を示す図
【図３】袋詰め被覆材１の標準的な製作方法を示す図
【図４】本発明の第１の実施の形態に係る裏込め構造の断面図
【図５】袋詰め被覆材１を層状に配置する方法を示す平面図
【図６】本発明の第２の実施の形態に係る裏込め構造の断面図
【図７】多数の袋詰め被覆材１を設置する手段を示す斜視図
【図８】２層構造に吊り上げられた袋詰め被覆材１の状態を示す図
【図９】結合された袋詰め被覆材１を示す図
【図１０】本発明の第３の実施の形態に係る裏込め構造の断面図
【図１１】従来の裏込め構造の断面図
【符号の説明】
１---------袋詰め被覆材
３---------網袋
５---------中詰材
７---------吊環
１１---------製作枠
１３---------バックホー
１５---------トラッククレーン
２１---------基礎捨石
２３---------ケーソン
２５---------埋立材
３１---------吊下げ用治具
３３---------吊下げロープ
３５---------オートリリースフック
３７---------連結ロープ
３９---------設置面
４１---------軽量盛土
【図１】
0003871925.tif 000002
【図２】
0003871925.tif 000003
【図３】
0003871925.tif 000004
【図４】
0003871925.tif 000005
【図５】
0003871925.tif 000006
【図６】
0003871925.tif 000007
【図７】
0003871925.tif 000008
【図８】
0003871925.tif 000009
【図９】
0003871925.tif 000010
【図１０】
0003871925.tif 000011
【図１１】
0003871925.tif 000012